(57)【要約】【課題】軒樋支持具として使用しないときにコンパクトな形状にでき、それにより在庫空間、運搬空間を小さくすることができる軒樋支持具を提供する。【解決手段】本体部１０の後端部は、平板状の垂直部１２ａと、垂直部１２ａの上端より前方に湾曲して略平板状に延びた上片部１２ｂとをすくなくとも有した形状とされ、後端部には垂直部１２ａから上片部１２ｂにいたるまで延びた回動スライド用長孔１３が開設されており、取付板体２０は垂下した吊り片部２２をすくなくとも有した構成とされ、吊り片部２２には、回動スライド用長孔１３と重合する挿通孔２２ａが開設されており、吊り片部２２と垂直部１２ａとが重合し、固定具を挿通孔２２ａと回動スライド用長孔１３とに挿通し固定した状態で、本体部１０で軒樋５を支持し得る構成となっている。【選択図】図１
2018053630.tif 000002
【特許請求の範囲】
【請求項１】
軒樋の前耳および後耳を係止する前耳係止部および後耳係止部を有した本体部と、該本体部の後端部に取り付けられた軒先固定用の取付板体とを備えた軒樋支持具であって、
前記本体部の後端部は、平板状の垂直部と、該垂直部の上端より前方に湾曲して略平板状に延びた上片部とをすくなくとも有した形状とされ、該後端部には前記垂直部から前記上片部にいたるまで延びた回動スライド用長孔が開設されており、
前記取付板体は垂下した吊り片部をすくなくとも有した構成とされ、該吊り片部には、前記回動スライド用長孔と重合する挿通孔が開設されており、
前記吊り片部と前記垂直部とが重合し、固定具を挿通孔と回動スライド用長孔とに挿通し固定した状態で、前記本体部で前記軒樋を支持し得ることを特徴とする軒樋支持具。
【請求項２】
請求項１において、
前記挿通孔は長孔とされることを特徴とする軒樋支持具。
【請求項３】
請求項１または２において、
前記垂直部、前記吊り片部のそれぞれの重合面に、固定補助用の突部が形成されていることを特徴とする軒樋支持具。
【請求項４】
請求項１または２において、
前記垂直部、前記吊り片部の一方の重合面に凸部が形成され、他方に該凸部が嵌合する凹部が形成されていることを特徴とする軒樋支持具。
【請求項５】
請求項１〜４のいずれか１項において、
前記本体部は、前記前耳係止部と前記後耳係止部との間に、前記軒樋を受け支持する受け凹部を有した形状とされ、前記後端部が前記後耳係止部で構成されていることを特徴とする軒樋支持具。
【請求項６】
請求項１〜４のいずれか１項において、
前記本体部は、前記前耳係止部と前記後耳係止部との間に配された板状部を有した、前記軒樋を吊り支持する吊り支持本体と、該吊り支持本体を前後調整可能に前記板状部と略平行となるように上側に取り付けた取付杆とよりなり、
前記取付杆は、前記後耳係止部の後方に配された逆Ｌ字状の基端部を有し、該基端部が前記後端部を構成していることを特徴とする軒樋支持具。
【発明の詳細な説明】
【技術分野】
【０００１】
本発明は、軒樋の前耳および後耳を係止する前耳係止部および後耳係止部を有した本体部と、本体部の後端部に取り付けられた軒先固定用の取付板体とを備えた軒樋支持具に関する。
【背景技術】
【０００２】
特許文献１に記載の軒樋支持具は、軒樋を受け支持する本体部を有した受け式の軒樋支持具の例である。この軒樋支持具の取付板体は本体部の高さ位置を調整できるように、長孔が開設された吊り片部を有しており、その吊り片部の長孔の適宜な位置で本体部の後端部をボルトと蝶ナットで固定できるようになっている。
【０００３】
この軒樋支持具は、その外形が横方向に長い本体部と、縦方向に長い取付板体とで略Ｌ字形状となっている。なお、取付板体は、屋根に取り付けるための固定部が吊り片部の上端より外方（取り付けた状態では後方）に突出しており、全体としてく字形状をなしている。
【０００４】
また、軒樋を吊り支持する本体部を有した吊り式の軒樋支持具についても、上記受け式の軒樋支持具で用いられているものと同様の形状の取付板体を本体部の後端部に取り付けたものが実施されており、外形は略Ｌ字形状となっている。
【先行技術文献】
【特許文献】
【０００５】
【特許文献１】実開昭５８−８６８３１号
【発明の概要】
【発明が解決しようとする課題】
【０００６】
ところで、この種の軒樋支持具は、現場での作業を効率的に実施するために、本体部と取付板体とが合体された仮連結の状態で現場に持ち込まれ、一体物として軒先に取り付けされた後、高さ位置調整がなされるのが通例である。
【０００７】
したがって、軒樋支持具は施工前においては略Ｌ字形状のままケース内に保管、運搬されるが、このような形状であるため、全体の体積に比して大きな容積のケースを用いなければならず、よって従来では、大きな在庫空間、運搬空間を必要としていた。また、運搬時にはがたつきを防止するために、梱包用のケース内に多くの緩衝材を同梱しなければならず、緩衝材のコストも多くかかっていた。
【０００８】
本発明は、このような事情を考慮して提案されたもので、その目的は、軒樋支持具として使用しないときにコンパクトな形状にでき、その結果、在庫空間、運搬空間を小さくすることができる軒樋支持具を提供することにある。
【課題を解決するための手段】
【０００９】
上記目的を達成するために、請求項１に記載の軒樋支持具は、軒樋の前耳および後耳を係止する前耳係止部および後耳係止部を有した本体部と、該本体部の後端部に取り付けられた軒先固定用の取付板体とを備えた軒樋支持具であって、前記本体部の後端部は、平板状の垂直部と、該垂直部の上端より前方に湾曲して略平板状に延びた上片部とをすくなくとも有した形状とされ、該後端部には前記垂直部から前記上片部にいたるまで延びた回動スライド用長孔が開設されており、前記取付板体は垂下した吊り片部をすくなくとも有した構成とされ、該吊り片部には、前記回動スライド用長孔と重合する挿通孔が開設されており、前記吊り片部と前記垂直部とが重合し、固定具を挿通孔と回動スライド用長孔とに挿通し固定した状態で、前記本体部で前記軒樋を支持し得ることを特徴とする。
【００１０】
請求項２に記載の軒樋支持具は、前記挿通孔が長孔とされることを特徴とする。
【００１１】
請求項３に記載の軒樋支持具は、前記垂直部、前記吊り片部のそれぞれの重合面に、固定補助用の突部が形成されていることを特徴とする。
【００１２】
請求項４に記載の軒樋支持具は、前記垂直部、前記吊り片部の一方の重合面に凸部が形成され、他方に該凸部が嵌合する凹部が形成されていることを特徴とする。
【００１３】
請求項５に記載の軒樋支持具は、前記本体部は、前記前耳係止部と前記後耳係止部との間に、前記軒樋を受け支持する受け凹部を有した形状とされ、前記後端部が前記後耳係止部で構成されていることを特徴とする。
【００１４】
請求項６に記載の軒樋支持具は、前記本体部は、前記前耳係止部と前記後耳係止部との間に配された板状部を有した、前記軒樋を吊り支持する吊り支持本体と、該吊り支持本体を前後調整可能に前記板状部と略平行となるように上側に取り付けた取付杆とよりなり、前記取付杆は、前記後耳係止部の後方に配された逆Ｌ字状の基端部を有し、該基端部が前記後端部を構成していることを特徴とする。
【発明の効果】
【００１５】
請求項１に記載の軒樋支持具によれば、上述した構成となっているため、軒樋支持具として使用しないときにコンパクトな形状にでき、その結果、在庫空間、運搬空間を小さくすることができる。
【００１６】
請求項２に記載の軒樋支持具によれば、上述した構成となっているため、吊り片部の高さ方向に対して本体部を移動させ、取り付け固定することで軒樋を所望の高さ位置に取り付け調整することができる。そのように高さ方向に長い吊り片部を有した軒樋支持具であっても、コンパクトな形状に折りたたむことができる。
【００１７】
請求項３または４に記載の軒樋支持具によれば、上述した構成となっているため、ボルト、ナットなどの固定具を補助でき、本体部と取付板体の固定を強化することができる。
【００１８】
請求項５に記載の軒樋支持具によれば、上述した構成となっているため、受け式の軒樋支持具についてもコンパクトな形状に折りたたむことができる。
【００１９】
請求項６に記載の軒樋支持具によれば、上述した構成となっているため、吊り式の軒樋支持具についてもコンパクトな形状に折りたたむことができる。
【図面の簡単な説明】
【００２０】
【図１】本発明の一実施形態に係る軒樋支持具の説明図である。（ａ）は施工状態の形状を示す同軒樋支持具の側面図、（ｂ）は折りたたんだ状態を示す同軒樋支持具の側面図、（ｃ）は同軒樋支持具の要部拡大部分縦断面図である。
【図２】（ａ）は同軒樋支持具に用いられる本体部の要部斜視図、（ｂ）は同軒樋支持具に用いられる取付板体の要部斜視図である。
【図３】（ａ）（ｂ）は、同軒樋支持具の本体部と取付板体の固定手順を示す、図１（ａ）の矢印Ａの方向から見た要部拡大正面図である。
【図４】（ａ）（ｂ）は、他の実施形態に係る軒樋支持具の本体部と取付板体の固定手順を示す、図１（ａ）の矢印方向から見た要部拡大正面図である。
【図５】本発明のさらに他の実施形態に係る軒樋支持具の説明図である。（ａ）は施工状態の形状を示す同軒樋支持具の側面図、（ｂ）は折りたたんだ状態を示す同軒樋支持具の側面図、（ｃ）は同軒樋支持具の要部拡大部分縦断面図である。
【発明を実施するための形態】
【００２１】
以下に、本発明の実施の形態について、添付図面を参照しながら説明する。まず、後述する種々の軒樋支持具１Ａ、１Ｂの共通的な基本構成について概説する（図１および図５参照）。
【００２２】
本軒樋支持具１Ａ、１Ｂは、軒樋５の前耳５ａおよび後耳５ｂを係止する前耳係止部１１および後耳係止部１２を有した本体部１０と、本体部１０の後端部に取り付けられた軒先固定用の取付板体２０とを備えた軒樋支持具である。
【００２３】
本体部１０の後端部は、図１（ｃ）および図５（ｃ）に示すように、平板状の垂直部１２ａ、４１ａと、垂直部１２ａ、４１ａの上端より前方に湾曲して略平板状に延びた上片部１２ｂ、４１ｂとをすくなくとも有した形状とされ、後端部には垂直部１２ａ、４１ａから上片部１２ｂ、４１ｂにいたるまで延びた回動スライド用長孔１３、４２が開設されている。
【００２４】
また、取付板体２０は垂下した吊り片部２２をすくなくとも有した構成とされ、吊り片部２２には、回動スライド用長孔１３、４２と重合する挿通孔２２ａが開設されている。そして、吊り片部２２と垂直部１２ａ、４１ａとが重合し、固定具を挿通孔２２ａと回動スライド用長孔１３、４２とに挿通し固定した状態で、本体部１０で軒樋５を支持し得るようになっている。
【００２５】
ついで、図１に示した軒樋支持具１Ａについて、図１〜図３にもとづいて説明する。
【００２６】
図１に示した軒樋支持具１Ａは、軒樋５を受け支持する受け凹部１６を有した本体部１０と、取付板体２０とを合体してなる受け式の軒樋支持具である。軒樋支持具１Ａを構成する上記部材はそれぞれ、帯板材を加工してなり、複数の軒樋支持具１Ａを間隔を開けて軒先に取り付け、それらで軒樋５を受け支持するようになっている。
【００２７】
本体部１０の前耳係止部１１は薄板の押さえ片１１ａを有してなり、図１（ａ）に示すように矢印方向に曲げることで受け凹部１６に配した軒樋５の前耳５ａを押さえて固定できるようになっている。
【００２８】
また、後耳係止部１２は、本体部１０の後端部とされ、図１および図２（ａ）に示すように、本体部１０の受け部１５が後方に延びて略コ字状に加工されてなる。後耳係止部１２は、図１（ｃ）に示すように、受け部１５から後方に延びた下片部１２ｄと、下片部１２ｄの後端から略垂直上方に延びた垂直部１２ａと、垂直部１２ａの上端から前方に湾曲した湾曲部１２ｃと、湾曲部１２ｃから前方に延びた上片部１２ｂと、上片部１２ｂから前斜め下方に延びた外れ防止部１２ｅとを備え、それらによってできた後耳収容凹所１２ｆを有してなる。
【００２９】
また、図１（ｃ）および図２（ａ）に示すように、後耳係止部１２の垂直部１２ａから湾曲部１２ｃを経て上片部１２ｂにいたるまでに、回動スライド用長孔１３が形成されている。
【００３０】
軒樋５は、図１（ａ）に示すように、後耳５ｂが後耳収容凹所１２ｆに収容された状態で、前耳５ａが上記押さえ片１１ａで固定されれば、軒樋５の外れおよびずれが防止される。さらに、外れ防止部１２ｅを後耳収容凹所１２ｆの前方開口を塞ぐように後方に向けて折り曲げて、後耳５ｂの後耳収容凹所１２ｆからの飛び出しを防止するようにしてもよい。
【００３１】
一方、取付板体２０は、図１（ａ）に示すように、長手方向に延びた長孔よりなる挿通孔２２ａが開設された吊り片部２２を有しており、図１（ａ）の施工状態において、その吊り片部２２の上端より斜め後ろ上方に延びた固定部２１をさらに有しており、全体としてく字形状とされる。固定部２１が屋根に沿うように固定されることで、吊り片部２２が略鉛直方向に垂下した状態となる。
【００３２】
軒樋支持具１Ａが施工された状態では、図１（ａ）に示すように、本体部１０は、本体部１０の垂直部１２ａと取付板体２０の吊り片部２２とが重合した状態で、両長孔に挿通されたボルト３１と蝶ナット３２との螺着により、取付板体２０に固定され、吊り支持される。なお、本体部１０と取付板体２０との固定は他の固定具を用いてもよい。また、本実施形態では、両部材の固定は固定補助用の突部１２ａａ、２２ｂによって強化されているが、これについては図３の説明にて後述する。
【００３３】
このような軒樋支持具１Ａは、取付板体２０の吊り片部２２に挿通孔２２ａとして長孔が形成されているため、蝶ナット３２を緩めれば、本体部１０を上下方向に移動させることができ、移動調整して適宜な高さ位置に固定することができる。
【００３４】
そして、本軒樋支持具１Ａは、上述したように本体部１０の後耳係止部１２に回動スライド用長孔１３が形成されている。そのため、蝶ナット３２を緩めた状態では、回動スライド用長孔１３に沿って、ボルト３１、蝶ナット３２および取付板体２０の一体物を回動させながらスライド移動させることができる。この回動スライド用長孔１３は逆Ｌ字状の折曲形状に沿った形状とされているため、ボルト３１と蝶ナット３２を、図１（ａ）に示した状態から、上片部１２ｂの長孔終端近傍の位置に移動させることで、取付板体２０が図１（ｂ）に示したような横向きの状態になる。つまり、軒樋支持具１Ａの側面視形状は、取付板体２０の吊り片部２２は本体部１０の受け凹部１６を塞ぐように折りたたまれてコンパクトな形状となる。
【００３５】
軒樋支持具１Ａを図１（ｂ）に示したコンパクトな形状に変化させることで、この側面あるいは反対側の側面を、箱のいずれかの面に配するように梱包箱に収容すれば、その収容面の平面積は図１（ａ）に対応した梱包箱の収容面の平面積よりも十分に小さくなる。したがって、軒樋支持具１Ａの梱包箱を小さくすることができ、その結果、軒樋支持具１Ａの保管や運搬において、在庫空間、運搬空間を小さくすることができる。なお、図１（ａ）（ｂ）のそれぞれに、梱包箱の収容面の外形を２点鎖線で図示した。また、梱包箱内のデッドスペースが小さくなるため、がたつき防止等のために箱内に入れる緩衝材は少量でもよい。
【００３６】
また、本実施形態の軒樋支持具１Ａは、垂直部１２ａと上片部１２ｂの間に湾曲部１２ｃが形成されているため、ボルト３１、蝶ナット３２を外すことなく少し緩めた状態にするだけで、ボルト３１を垂直部１２ａから上片部１２ｂまでへ移動させることができる。
【００３７】
また、本体部１０の後耳係止部１２の垂直部１２ａおよび取付板体２０の吊り片部２２のそれぞれの重合面には、図２（ａ）（ｂ）に示すように突部１２ａａ、２２ｂが形成されている。これらの突部１２ａａ、２２ｂは両部材の固定補助用の突部とされる。
【００３８】
本実施形態のものでは、垂直部１２ａの突部１２ａａは１つであり、図２（ａ）に示すように、重合面のうち回動スライド用長孔１３の一方側の面の下部に設けられている。一方、吊り片部２２の突部２２ｂは、図２（ｂ）に示すように、重合面のうち長孔の一方側に設けられている。突部１２ａａ、２２ｂが形成された重合面は、両部材が重合したときに相互に重ならない面とされる。
【００３９】
このような突部１２ａａ、２２ｂを用いて、両部材の相互の固定を強化することができる。特に、この突部１２ａａ、２２ｂは、取付板体２０を、図１（ｂ）の折りたたみ状態から、図１（ａ）の展開（施工）状態に移動させ、固定する場合に有効な強固な固定手段となり得る。
【００４０】
すなわち、取付板体２０は、図３（ａ）（ｂ）に示すような手順で固定されればよい。まず、図１（ｂ）の状態から取付板体２０を回動スライドさせることで垂直部１２ａの後方に移動させ、両長孔に対するボルト位置を調整したうえで、図３（ａ）のように両部材をクロスさせた状態でボルト３１、蝶ナット３２を締め付け固定する。つぎに、両部材が適切に重合するように吊り片部２２を回転移動させる。このとき、それぞれの突部１２ａａ、２２ｂは相手部材の重合面に乗り上げて圧接状態となる。こうして、両部材どうしの突部１２ａａ、２２ｂの重合面への圧接により、長孔どうしの重合により、ずれが起こりやすくなりがちな連結固定を強化することができる。
【００４１】
なお、突部１２ａａ、２２ｂは、乗り上げしやすくするために図例のように先端が丸く形成されていることが望ましい。また、圧接状態からさらなる回動が発生しないように、また上下方向のずれが発生しないように、突部１２ａａ、２２ｂが圧接する面に湾曲凹部を連設しておくことが望ましい。さらに、取付板体２０の吊り片部２２には、いずれの高さ位置でも固定補助できるように、略等間隔の複数の突部２２ｂを備えることが望ましい。
【００４２】
また、本体部１０と取付板体２０の連結固定の強化手段としては、図４に示すような凹凸嵌合手段を用いてもよい。つまり、両部材の一方（本例では取付板体２０）の重合面に凸部２２ｃが形成され、他方（本例では本体部１０）に凸部が嵌合する凹部１２ａｂが形成されていればよい。本図例では、取付板体２０に凸部２２ｃが形成され、本体部１０にピッチを一定とした複数の凹部１２ａｂが形成されている。
【００４３】
この軒樋支持具１Ａについても、図１のものと同様、ボルト３１、蝶ナット３２よりなる固定具を緩めた状態で、取付板体２０を、図１（ｂ）の状態位置から垂直部１２ａの後方に移動させ、両長孔に対するボルト位置を調整したうえで、図４（ａ）（ｂ）に示すように、両部材を凸部２２ｃと凹部１２ａｂとが嵌合するように近接させ、蝶ナット３２を締め付け固定すればよい。
【００４４】
なお、凸部２２ｃと凹部１２ａｂは、長孔の一方側に設けて、１組が嵌合する構成とするだけで十分な固定強化ができる。また、取付板体２０の凸部２２ｃについては、いずれの高さ位置でも固定補助できるように、略等間隔の複数のものを備えることが望ましい。垂直部１２ａの凹部１２ａｂについては、細かな高さ調整ができるように、等間隔に複数のものを設けることが望ましい。
【００４５】
つぎに、図５に示した他の実施形態に係る軒樋支持具１Ｂ（吊り式の軒樋支持具）について説明する。
【００４６】
この軒樋支持具１Ｂは、軒樋５を吊り支持する支持具である。本体部１０は、前耳係止部１１と後耳係止部１２との間に配された板状部１８を有した、軒樋５を吊り支持する吊り支持本体１０Ａと、吊り支持本体１０Ａを前後調整可能に板状部１８と略平行となるように上側に取り付けた取付杆４０とより構成されている。つまり、この軒樋支持具１Ｂは、吊り支持本体１０Ａと取付杆１０Ｂとの位置関係を調節して軒樋５の出具合を調整できるようになっている。なお、図５に示した軒樋支持具１Ｂは、本体部１０の前耳係止部１１は軒樋５の前耳５ａを引っ掛けでき、後耳係止部１２は軒樋５の後耳５ｂを収容させて係止できる構造となっている。
【００４７】
また、取付板体２０は図１の軒樋支持具１Ａのものと同様の構成とされ、吊り片部２２には高さ位置の調整ができるように長孔よりなる挿通孔２２ａが開設されている。ようするに、この軒樋支持具１Ｂは上記の構成により、高さおよび前後の調整が可能となっている。
【００４８】
前後方向の調整を可能とするために吊り支持本体１０Ａには長孔（不図示）が開設され、吊り支持本体１０Ａの所望の前後位置において取付杆４０の先端がボルト３３、蝶ナット３４で連結される構成となっている。この取付杆４０は、吊り支持本体１０Ａと連結された状態で後耳係止部１２の後方に配される逆Ｌ字形状の基端部４１を有している。この基端部４１が本体部１０における後端部を構成しており、その基端部４１は図１に示した後端部と同様、垂直部４１ａと湾曲部４１ｃと上片部４１ｂとを有した形状とされており、その基端部４１には、垂直部４１ａから上片部４１ｂにいたるまで延びた回動スライド用長孔４２が開設されている。
【００４９】
本体部１０の取付杆４０と取付板体２０との連結は、図１のものと同様、ボルト３１と蝶ナット３２とにより、取付板体２０を、施工状態の位置からボルト３１、蝶ナット３２とともに移動させることで、図５（ｂ）に示すような吊り支持本体１０Ａの板状部１８と略平行となるように折りたたむことができる。その結果、軒樋支持具１Ｂを梱包するケースを小さくすることができ、在庫空間、運搬空間を十分に小さくすることができ、さらに箱内に入れる緩衝材を少なくすることもできる。なお、保管や運搬の際には、図５（ｂ）に示すように、吊り支持本体１０Ａと取付杆４０とはその連結寸法が小さくなるように連結しておくことが望ましい。
【００５０】
また、この軒樋支持具１Ｂの場合も、図１のものと同様に、基端部４１に設けた突部４１ａａと、吊り片部に設けた突部２２ｂ（図２参照）とで、本体部１０と取付板体２０の連結強化ができるようになっているが、これに代えて、図４に示すような凹凸嵌合手段を設けてもよい。
【００５１】
図５の軒樋支持具１Ｂは取付杆４０を含んだ構成とされているが、取付杆４０を備えず、出具合調整のできない吊り式の軒樋支持具であってもよく、その場合は後耳係止部１２が後端部とされ、図１のものと同様、その後耳係止部１２に回動スライド用長孔１３（図１参照）を設けたものとすればよい。
【００５２】
以上に説明した図１、図５の各軒樋支持具１Ａ、１Ｂは、取付板体２０の吊り支持部２２に長孔を設けて高さ位置調整ができる構成となっているが、吊り片部２２には長孔に代えて丸孔よりなる挿通孔を設けて、本体部１０の回動スライド用長孔１３、４２で高さ位置調整もできるようにしてもよい。
【符号の説明】
【００５３】
１Ａ          軒樋支持具（受け式の軒樋支持具）
１Ｂ          軒樋支持具（吊り式の軒樋支持具）
５            軒樋
１０          本体部
１０Ａ        吊り支持本体
１１          前耳係止部
１１ａ        押さえ片
１２          後耳係止部（後端部）
１２ａ        垂直部
１２ａａ      突部
１２ａｂ      凹部
１２ｂ        上片部
１２ｃ        湾曲部
１２ｄ        下片部
１２ｅ        外れ防止部
１２ｆ        後耳収容凹所
１３          回動スライド用長孔
１５          受け部
１６          受け凹部
１８          板状部
２０          取付板体
２１          固定部
２２          吊り片部
２２ａ        挿通孔
２２ｂ        突部
２２ｃ        凸部
３１          ボルト（固定具）
３２          蝶ナット（固定具）
３３          ボルト（固定具）
３４          蝶ナット（固定具）
４０          取付杆
４１          基端部（後端部）
４１ａ        垂直部
４１ａａ      突部
４１ｂ        上片部
４１ｃ        湾曲部
４２          回動スライド用長孔
【図１】
2018053630.tif 000003
【図２】
2018053630.tif 000004
【図３】
2018053630.tif 000005
【図４】
2018053630.tif 000006
【図５】
2018053630.tif 000007
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
軒樋の前耳および後耳を係止する前耳係止部および後耳係止部を有した本体部と、該本体部の後端部に取り付けられた軒先固定用の取付板体とを備えた軒樋支持具であって、
前記本体部の後端部は、平板状の垂直部と、該垂直部の上端より前方に湾曲して略平板状に延びた上片部とをすくなくとも有した形状とされ、該後端部には前記垂直部から前記上片部にいたるまで延びた回動スライド用長孔が開設されており、
前記取付板体は垂下した吊り片部をすくなくとも有した構成とされ、該吊り片部には、前記回動スライド用長孔と重合する挿通孔が開設されており、
前記吊り片部と前記垂直部とが重合し、固定具を挿通孔と回動スライド用長孔とに挿通し固定した状態で、前記本体部で前記軒樋を支持し得、かつ、前記固定具を緩めた状態で、前記吊り片部が前記回動スライド長孔に沿って移動して前記本体部に対して折りたたまれ得ることを特徴とする軒樋支持具。
【請求項２】
請求項１において、
前記挿通孔は長孔とされることを特徴とする軒樋支持具。
【請求項３】
請求項１または２において、
前記垂直部、前記吊り片部のそれぞれの重合面に、固定補助用の突部が形成されていることを特徴とする軒樋支持具。
【請求項４】
請求項１または２において、
前記垂直部、前記吊り片部の一方の重合面に凸部が形成され、他方に該凸部が嵌合する凹部が形成されていることを特徴とする軒樋支持具。
【請求項５】
請求項１〜４のいずれか１項において、
前記本体部は、前記前耳係止部と前記後耳係止部との間に、前記軒樋を受け支持する受け凹部を有した形状とされ、前記後端部が前記後耳係止部で構成されていることを特徴とする軒樋支持具。
【請求項６】
請求項１〜４のいずれか１項において、
前記本体部は、前記前耳係止部と前記後耳係止部との間に配された板状部を有した、前記軒樋を吊り支持する吊り支持本体と、該吊り支持本体を前後調整可能に前記板状部と略平行となるように上側に取り付けた取付杆とよりなり、
前記取付杆は、前記後耳係止部の後方に配された逆Ｌ字状の基端部を有し、該基端部が前記後端部を構成していることを特徴とする軒樋支持具。
【手続補正２】
【補正対象書類名】明細書
【補正対象項目名】０００９
【補正方法】変更
【補正の内容】
【０００９】
上記目的を達成するために、請求項１に記載の軒樋支持具は、軒樋の前耳および後耳を係止する前耳係止部および後耳係止部を有した本体部と、該本体部の後端部に取り付けられた軒先固定用の取付板体とを備えた軒樋支持具であって、前記本体部の後端部は、平板状の垂直部と、該垂直部の上端より前方に湾曲して略平板状に延びた上片部とをすくなくとも有した形状とされ、該後端部には前記垂直部から前記上片部にいたるまで延びた回動スライド用長孔が開設されており、前記取付板体は垂下した吊り片部をすくなくとも有した構成とされ、該吊り片部には、前記回動スライド用長孔と重合する挿通孔が開設されており、前記吊り片部と前記垂直部とが重合し、固定具を挿通孔と回動スライド用長孔とに挿通し固定した状態で、前記本体部で前記軒樋を支持し得、かつ、前記固定具を緩めた状態で、前記吊り片部が前記回動スライド長孔に沿って移動して前記本体部に対して折りたたまれ得ることを特徴とする。
【手続補正３】
【補正対象書類名】明細書
【補正対象項目名】００２０
【補正方法】変更
【補正の内容】
【００２０】
【図１】本発明の一実施形態に係る軒樋支持具の説明図である。（ａ）は施工状態の形状を示す同軒樋支持具の側面図、（ｂ）は折りたたんだ状態を示す同軒樋支持具の側面図、（ｃ）は同軒樋支持具の要部拡大部分縦断面図である。
【図２】（ａ）は同軒樋支持具に用いられる本体部の要部斜視図、（ｂ）は同軒樋支持具に用いられる取付板体の要部斜視図である。
【図３】（ａ）（ｂ）は、同軒樋支持具の本体部と取付板体の固定手順を示す、図１（ａ）の矢印Ａの方向から見た要部拡大正面図である。
【図４】（ａ）（ｂ）は、他の実施形態に係る軒樋支持具の本体部と取付板体の固定手順を示す要部拡大正面図である。
【図５】本発明のさらに他の実施形態に係る軒樋支持具の説明図である。（ａ）は施工状態の形状を示す同軒樋支持具の側面図、（ｂ）は折りたたんだ状態を示す同軒樋支持具の側面図、（ｃ）は同軒樋支持具の要部拡大部分縦断面図である。